(57)【要約】【課題】  記録媒体にオリジナルから不正コピーされたデータの使用を確実に防止することで、不正コピーに対して適正な対応を採れるようにする。【解決手段】  ＲＯＭ構造のオリジナル記録媒体の場合には、記録されている真贋判定アプリプログラムの実行による書込み動作（Ｓ１７）の結果、必然的に書込み不可となるので（Ｓ１９のＹ、又は、Ｓ２２のＹ）、この書込み不可なる結果によりオリジナル記録媒体と判定でき、その再生動作を可能にできる一方、Ｒ又はＲＷ構造で書込み可能な不正なコピー媒体の場合には、コピーにより記録されている真贋判定アプリプログラムの実行による書込み動作（Ｓ１７）の結果、必然的に書込み可能となるので（Ｓ２２のＮ）、この書込み可能なる結果により不正なコピー媒体と判定でき、その再生動作を不可として、再生動作を禁止でき、不正なコピー媒体が作製されても、使用できず価値のないものとなる。【選択図】    図６
2005116138.tif 000002
【特許請求の範囲】
【請求項１】
当該媒体が記録再生装置にマウントされた場合に前記記録再生装置に接続されたホスト機に当該媒体中のオリジナル判定のための特定領域に対して書込み動作を実行させ、この書込み後、読み込み不可の状態を検知した場合には当該媒体をオリジナル記録媒体と判定してその再生用データ領域の再生を可能とする一方、書込み可能であった場合には当該媒体をコピー媒体と判定してその再生用データ領域の再生を不可とする処理を実行させるオリジナル／コピー判定対応処理用アプリケーションプログラムが再生用データとともに記録され、少なくともオリジナル判定のための前記特定領域が物理的に書込み不可な構造を有することを特徴とするオリジナル記録媒体。
【請求項２】
媒体全体がＲＯＭ構造とされている、ことを特徴とする請求項１記載のオリジナル記録媒体。
【請求項３】
前記オリジナル／コピー判定対応処理用アプリケーションプログラム及び再生用データが、リードインエリアとリードアウトエリアとに挟まれたプログラムエリアからなるセッションを複数有するマルチセッション方式で、かつ、当該媒体がクローズされていない追記可能なデータ構造で記録されている、ことを特徴とする請求項１又は２記載のオリジナル記録媒体。
【請求項４】
オリジナル判定のための前記特定領域が、既記録最終セッションの次のセッションである、ことを特徴とする請求項３記載のオリジナル記録媒体。
【請求項５】
当該媒体が書換え可能であることを示すディスク情報を有する、ことを特徴とする請求項１ないし４の何れか一記載のオリジナル記録媒体。
【請求項６】
前記オリジナル／コピー判定対応処理用アプリケーションプログラム及び再生用データが記録されているセッション領域、及び、当該媒体の最も外側にリードアウトを記録する場合の記録停止位置まで、透明樹脂基板にマスタリングにより形成され半径方向に情報に基づき変調されてウォブリングされたプリピット上に反射膜を有するＲＯＭ構造とされている、ことを特徴とする請求項３ないし５の何れか一記載のオリジナル記録媒体。
【請求項７】
前記オリジナル／コピー判定対応処理用アプリケーションプログラム及び再生用データが記録されているセッション領域は透明樹脂基板にマスタリングにより形成され半径方向に情報に基づき変調されてウォブリングされたプリピット上に反射膜を有し、当該領域よりも外側で当該媒体の最も外側にリードアウトを記録する場合の記録停止位置までの領域は、透明樹脂基板にマスタリングにより形成され半径方向に情報に基づき変調されてウォブリングされたグルーブ上に反射膜を有する、ＲＯＭ構造とされている、ことを特徴とする請求項３ないし５の何れか一記載のオリジナル記録媒体。
【請求項８】
請求項１ないし７の何れか一記載のオリジナル記録媒体又はそのコピー媒体が記録再生装置にマウントされた場合に、これらの媒体に記録されている前記オリジナル／コピー判定対応処理用アプリケーションプログラムに従い、前記記録再生装置に接続されたホスト機に当該媒体中の特定領域に対して書込み動作を実行させる工程と、
この書込み動作の実行に伴い書込み不可／書込み可能の何れであるかを検知する工程と、
書込み不可の状態を検知した場合には当該媒体をオリジナル記録媒体と判定してその再生用データ領域の再生を可能とする再生許可工程と、
書込み可能であった場合には当該媒体をコピー媒体と判定してその再生用データ領域の再生を不可とする再生禁止工程と、
を備えることを特徴とする記録再生方法。
【請求項９】
請求項５記載のオリジナル記録媒体又はそのコピー媒体が記録再生装置にマウントされた場合に、これらの媒体に記録されている前記オリジナル／コピー判定対応処理用アプリケーションプログラムに従い、前記記録再生装置に接続されたホスト機に
当該媒体中の特定領域に対して消去動作を実行させる工程を備える
ことを特徴とする記録再生方法。
【請求項１０】
当該消去動作がクィック消去命令である、
ことを特徴とする請求項９記載の記録再生方法。
【請求項１１】
当該特定領域が、第２セッション以降のセッションであり、消去動作が最終セッション消去命令である、
ことを特徴とする請求項９記載の記録再生方法。
【請求項１２】
前記書込み不可の状態の検知は、書込み動作時の前記記録再生装置からのエラー情報に基づき判定する、ことを特徴とする請求項８記載の記録再生方法。
【請求項１３】
前記書込み不可の状態の検知は、前記記録再生装置による書込み動作後の当該特定領域に関する再生時エラーの有無に基づき判定する、ことを特徴とする請求項８記載の記録再生方法。
【請求項１４】
記録再生装置とホスト機とが接続された記録再生システムであって、
前記ホスト機は、請求項１ないし７の何れか一記載のオリジナル記録媒体又はそのコピー媒体が前記記録再生装置にマウントされた場合に、これらの媒体に記録されている前記オリジナル／コピー判定対応処理用アプリケーションプログラムを実行する、ことを特徴とする記録再生システム。
【発明の詳細な説明】
【技術分野】
【０００１】
本発明は、ＣＤ−ＲＯＭ，ＤＶＤ−ＲＯＭ等のオリジナル記録媒体、その不正コピー品の不正使用を防止可能とした記録再生方法及び記録再生システムに関する。
【背景技術】
【０００２】
情報を記録する記録媒体として、ＣＤ−ＲＯＭ，ＤＶＤ−ＲＯＭ等の光ディスクが広く普及している。これらの光ディスクは、再生専用光ディスクであり、工場で多量に生産され、オリジナル記録媒体としてユーザに提供される。このような再生専用光ディスクは、原盤露光装置で原盤上に形成されたピット列をスタンパに転写（「マスタリング」と呼ばれる）し、そのスタンパを型として成形基板に転写し、その成形基板に反射膜、保護膜等を付与することにより、ピットとして時間情報（ヘッダアドレス：物理アドレス）と共にデジタルデータを記録したデータ構造を備えており、そのピットに記録された時間情報に基づいてデータを再生している。
【０００３】
一方、近年では、記録可能な光ディスクとして、ＣＤ−Ｒ，ＣＤ−ＲＷ，ＤＶＤ＋Ｒ，ＤＶＤ＋ＲＷディスク等が広く普及している。これらの記録可能な光ディスクでは、全面に時間情報が記録されたグルーブが形成されており、そのグルーブが形成された成形基板の上に記録膜（ＣＤ−Ｒ，ＤＶＤ＋Ｒでは色素等、ＣＤ−ＲＷ，ＤＶＤ＋ＲＷでは相変化膜）、反射膜、保護膜等が形成されており、記録された時間情報に一致するようにＣＤ−Ｒ／ＲＷ、ＤＶＤ＋Ｒ／ＲＷライタでマークを書込むことにより、ヘッダアドレス（時間情報）とデータとを記録するような構造になっている。
【０００４】
このような媒体の普及に伴い、記録可能なＣＤ−Ｒ／ＲＷライタ或いはＣＤ−Ｒ／ＲＷ，ＤＶＤ±Ｒ／ＲＷライタは再生専用のＣＤ−ＲＯＭプレーヤにとって代わり、ＰＣ（ホスト機）に標準搭載されるようになり、広く普及している。
【０００５】
【特許文献１】特開平０６−３０２０９２号公報
【特許文献２】特開平０９−２７４７７４号公報
【発明の開示】
【発明が解決しようとする課題】
【０００６】
ここに、上述したような再生専用光ディスク＝オリジナルディスクに記録されている情報はデジタル情報であり、コピーしても劣化しないことと、記録可能なＣＤ−Ｒ／ＲＷライタ或いはＣＤ−Ｒ／ＲＷ，ＤＶＤ±Ｒ／ＲＷライタの普及に伴い、再生専用光ディスク等のオリジナル記録媒体に記録されたデータやアプリケーションプログラム等の情報が不正にコピーして使用されるという問題が生じている。
【０００７】
このような不正コピーの防止に関しては、例えば、特許文献１によれば、ドライブにマウントされた媒体が再生専用か、書換え可能かを判別し、再生専用媒体（オリジナル）と判別された場合はデータの再生を可とし、書換え可能媒体と判断された場合は再生を不可としており、媒体の識別方法として媒体に使われるカートリッジ形状の違い、或いは媒体からの反射率の違いを用いている。
【０００８】
この場合は、カートリッジを用いない媒体に関しては適用できず、また、媒体からの反射率の違いに関しては、オリジナルＣＤとコピーＣＤ−ＲＷとに着目しているが、オリジナルＣＤとコピーＣＤ−Ｒの媒体間では反射率は略同じであり、コピーＣＤ−Ｒの場合には適用できず、不正コピーに対する対応策として不十分である。
【０００９】
また、特許文献２によれば、ＩＤファイルの書換えができるか否かでオリジナルかコピー（書き換え可能媒体）かを判定するようにしている。しかし、コピーされた記録可能媒体（CD-R等の１回のみ記録可能な媒体）に適用した場合には、ＩＤが既に記録（コピー）されているので、書換え動作が正常終了せず、オリジナルと判定されてしまう可能性があり、不正コピーに対する対応策として不十分である。
【００１０】
本発明の目的は、光ディスク等の記録媒体にオリジナルから不正コピーされたデータの使用を確実に防止することで、不正コピーに対して適正な対応を採れるようにすることである。
【課題を解決するための手段】
【００１１】
請求項１記載の発明のオリジナル記録媒体は、当該媒体が記録再生装置にマウントされた場合に前記記録再生装置に接続されたホスト機に当該媒体中のオリジナル判定のための特定領域に対して書込み動作を実行させ、この書込み動作の実行に伴い書込み不可の状態を検知した場合には当該媒体をオリジナル記録媒体と判定してその再生用データ領域の再生を可能とする一方、書込み可能であった場合には当該媒体をコピー媒体と判定してその再生用データ領域の再生を不可とする処理を実行させるオリジナル／コピー判定対応処理用アプリケーションプログラムが再生用データとともに記録され、少なくともオリジナル判定のための前記特定領域が物理的に書込み不可な構造を有する。
【００１２】
請求項２記載の発明は、請求項１記載のオリジナル記録媒体において、媒体全体がＲＯＭ構造とされている。
【００１３】
請求項３記載の発明は、請求項１又は２記載のオリジナル記録媒体において、前記オリジナル／コピー判定対応処理用アプリケーションプログラム及び再生用データが、リードインエリアとリードアウトエリアとに挟まれたプログラムエリアからなるセッションを複数有するマルチセッション方式で、かつ、当該媒体がクローズされていない追記可能なデータ構造で記録されている。
【００１４】
請求項４記載の発明は、請求項３記載のオリジナル記録媒体において、オリジナル判定のための前記特定領域が、既記録最終セッションの次のセッションである。
【００１５】
請求項５記載の発明は、請求項１ないし４の何れか一記載のオリジナル記録媒体において、当該媒体が書換え可能であることを示すディスク情報を有する。
【００１６】
請求項６記載の発明は、請求項３ないし５記載のオリジナル記録媒体において、前記オリジナル／コピー判定対応処理用アプリケーションプログラム及び再生用データが記録されているセッション領域、及び、当該媒体の最も外側にリードアウトを記録する場合の記録停止位置まで、透明樹脂基板にマスタリングにより形成され半径方向に情報に基づき変調されてウォブリングされたプリピット上に反射膜を有するＲＯＭ構造とされている。
【００１７】
請求項７記載の発明は、請求項３ないし５の何れか一記載のオリジナル記録媒体において、前記オリジナル／コピー判定対応処理用アプリケーションプログラム及び再生用データが記録されているセッション領域は透明樹脂基板にマスタリングにより形成され半径方向に情報に基づき変調されてウォブリングされたプリピット上に反射膜を有し、当該領域よりも外側で当該媒体の最も外側にリードアウトを記録する場合の記録停止位置までの領域は、透明樹脂基板にマスタリングにより形成され半径方向に情報に基づき変調されてウォブリングされたグルーブ上に反射膜を有する、ＲＯＭ構造とされている。
【００１８】
請求項８記載の発明の記録再生方法は、請求項１ないし７の何れか一記載のオリジナル記録媒体又はそのコピー媒体が記録再生装置にマウントされた場合に、これらの媒体に記録されている前記オリジナル／コピー判定対応処理用アプリケーションプログラムに従い、前記記録再生装置に接続されたホスト機に当該媒体中の特定領域に対して書込み動作を実行させる工程と、この書込み動作の実行に伴い書込み不可／書込み可能の何れであるかを検知する工程と、書込み不可の状態を検知した場合には当該媒体をオリジナル記録媒体と判定してその再生用データ領域の再生を可能とする再生許可工程と、書込み可能であった場合には当該媒体をコピー媒体と判定してその再生用データ領域の再生を不可とする再生禁止工程と、を備える。
【００１９】
請求項９記載の発明の記録再生方法は、請求項５記載のオリジナル記録媒体又はそのコピー媒体が記録再生装置にマウントされた場合に、これらの媒体に記録されている前記オリジナル／コピー判定対応処理用アプリケーションプログラムに従い、前記記録再生装置に接続されたホスト機に当該媒体中の特定領域に対して消去動作を実行させる工程を備える。
【００２０】
請求項１０記載の発明の記録再生方法は、請求項９記載の消去動作がクィック消去命令である。
【００２１】
請求項１１記載の発明の記録再生方法は、請求項９記載の当該特定領域が、第２セッション以降のセッションであり、消去動作が最終セッション消去命令である。
【００２２】
請求項１２記載の発明は、請求項８記載の記録再生方法において、前記書込み不可の状態の検知は、書込み動作時の前記記録再生装置からのエラー情報に基づき判定する。
【００２３】
請求項１３記載の発明は、請求項８記載の記録再生方法において、前記書込み不可の状態の検知は、前記記録再生装置による書込み動作後の当該特定領域に関する再生時エラーの有無に基づき判定する。
【００２４】
請求項１４記載の発明は、記録再生装置とホスト機とが接続された記録再生システムであって、前記ホスト機は、請求項１ないし７の何れか一記載のオリジナル記録媒体又はそのコピー媒体が前記記録再生装置にマウントされた場合に、これらの媒体に記録されている前記オリジナル／コピー判定対応処理用アプリケーションプログラムを実行する。
【発明の効果】
【００２５】
本発明によれば、オリジナル記録媒体は本質的に書込み可能である必要がない反面、不正なコピー媒体は書込み可能であることが必要な点に着目し、当該媒体が記録再生装置にマウントされた場合にはホスト機に当該媒体中のオリジナル判定のための特定領域に対して書込み動作を実行させ、この書込み動作の実行に伴い書込み不可の状態を検知した場合には当該媒体をオリジナル記録媒体と判定してその再生用データ領域の再生を可能とする一方、書込み可能であった場合には当該媒体をコピー媒体と判定してその再生用データ領域の再生を不可とする処理を実行させるオリジナル／コピー判定対応処理用アプリケーションプログラムを再生用データとともに記録させておくことにより、不正にコピーされた場合にはこのようなオリジナル／コピー判定対応処理用アプリケーションプログラムもコピーされることから、オリジナル記録媒体がマウントされた場合には当該オリジナル／コピー判定対応処理用アプリケーションプログラムの実行により書込み不可なことからオリジナル記録媒体であると判定でき、その再生用データの再生を許可できる一方、コピー媒体がマウントされた場合には当該オリジナル／コピー判定対応処理用アプリケーションプログラムの実行により書込み可能なことから不正なコピー媒体であると判定でき、その再生用データの再生を不可とすることができ、不正なコピー媒体を実質的に使用できず価値のないものとすることができる。
【００２６】
特に、請求項３記載の発明によれば、オリジナル記録媒体のデータ構造を、マルチセッション方式で、当該媒体がクローズされていない追記可能なデータ構造とされているので、オリジナル記録媒体に関しても記録再生装置にマウントされた場合には形式的には書込み動作を行わせて書込み不可であることを明確に確認させることができる。この際請求項４記載の発明によれば、オリジナル判定のための特定領域を、既記録最終セッションの次のセッションとすることにより、コピー媒体の場合、当該特定領域は書込み前は常に未記録状態であるので、当該コピー媒体がマウントされた場合のオリジナル／コピー判定対応処理用アプリケーションプログラムの実行時には書込み可能なことから、確実にコピー媒体であることを明確に確認させることができる。
【００２７】
また、請求項５記載の発明によれば、オリジナル記録媒体は本質的に書換え（消去）可能である必要がない反面、不正なコピー媒体は書換え（消去）可能であることが必要な点に着目し、当該媒体が記録再生装置にマウントされた場合にはホスト機に当該媒体中のオリジナル判定のための特定領域に対して書換え（消去）動作を実行させる。その後、ディスク上のプログラムの起動あるいはデータの再生が行われる。ここで、ROM構造で記録層を有さないオリジナル媒体においてはディスクが消去されていないので動作可能であるが、コピー媒体においてはディスクが消去されていてプログラムファイルやデータファイルの読み込みができず動作が中断してしまう。かくして、確実にコピー媒体を排除することができる。
【００２８】
また、請求項６記載の発明によれば、オリジナル記録媒体を通常のＣＤ−ＲＯＭ，ＤＶＤ−ＲＯＭ等と全く同様のＲＯＭ構造の媒体として提供でき、請求項７記載の発明によれば、オリジナル記録媒体の未記録領域に関しては形式的に追記型媒体等に準じたＲＯＭ構造の媒体として提供することができる。これらの場合、プリピットにしてもグルーブにしても、例えばＡＴＩＰ情報による変調によりウォブリングされているので、特定領域へのアクセスが可能となる。
【００２９】
請求項９記載の発明によれば、コピー媒体が記録再生装置にマウントされた場合に、当該特定領域に対して再生動作を実行させるので、コピー行為そのものを無効にできる。
【００３０】
請求項１０記載の発明によれば、請求項９記載の消去動作がクィック消去命令で管理情報の消去であるので、オリジナル／コピー判定対応処理用アプリケーションプログラムの消去動作が迅速に行え、処理速度が向上する。
【００３１】
請求項１１記載の発明によれば、請求項９記載の当該特定領域が、第２セッション以降のセッションであり、消去動作が最終セッション消去命令である。第２セッションの管理情報であるリードインは第１セッションより短く、オリジナル／コピー判定対応処理用アプリケーションプログラムの消去動作が迅速に行え、処理速度が向上する。
【００３２】
請求項１２記載の発明によれば、書込み不可の状態の検知を、書込み動作時の記録再生装置からのエラー情報に基づき判定することで、例えば、記録動作直前に行わせる最適記録パワーを決定するためのＯＰＣ時のエラーを検知することで簡単に実現できる。また、ＯＰＣ時のエラーはエラーとして通知されない場合もあるが、請求項１３記載の発明によれば、書込み不可の状態の検知を、書込み動作後の当該特定領域の再生時エラーの有無に基づき判定することで、オリジナル記録媒体の場合には、現実に書込みを行えず再生時エラーは必ず発生するので、オリジナル記録媒体であることの特定化を確実に行うことができる。
【発明を実施するための最良の形態】
【００３３】
本発明を実施するための最良の形態を図面に基づいて説明する。
【００３４】
まず、本実施の形態に用いられる記録再生装置である光ディスク装置（ドライブ）の構成例を図１を参照して説明する。本実施の形態は、記録媒体１として、ＣＤ−ＲＯＭ等の再生専用光ディスクの他に、一度だけ書込み可能でＣＤフォーマットに準拠した記録可能なＣＤ−Ｒ（CD−Recordable）なる追記型の光ディスクやＣＤフォーマットに準拠した記録可能なＣＤ−ＲＷ（CD−Rewritable）なる書換え型の光ディスクを対象とする光ディスク装置への適用例を示す。
【００３５】
図１を参照して光ディスク装置の概略構成及び動作について説明する。まず、ＣＤ系ディスクではディスク基板上の色素材料或いは相変化材料にデータで変調されたレーザ光を照射して、ピットあるいはマークを形成し、これらにレーザ光を当てて、その反射光の変化でデータを読み取る。このデータ列はレコードのようにディスク基板上に螺旋状に並べられている。この螺旋状に配された線をトラックと呼んでおり、隣り合うトラック間の距離は１．６μｍである。
【００３６】
このような光ディスク１は駆動手段としてのスピンドルモータ２によって回転駆動される。スピンドルモータ２はモータドライバ３とサーボ手段４とによって線速度一定（ＣＬＶ）又は回転数一定（ＣＡＶ）となるように制御される。その線速度は段階的に変更が可能である。光ピックアップ５は後述する半導体レーザ、光学系、フォーカシングアクチュエータ、トラッキングアクチュエータ、受光器、ポジションセンサ等を内蔵しており、レーザ光を光ディスク１の記録面に照射する。
【００３７】
光ピックアップ５は図示しないシークモータによりスレッジ方向（ディスク半径方向）に移動可能とされている。これらのフォーカシングアクチュエータ、トラッキングアクチュエータ、シークモータは受光器やポジションセンサから得られる信号に基づきモータドライバ３とサーボ手段４とによってレーザスポットを光ディスク１上の目的の場所に位置させるように制御する。
【００３８】
データ再生時には、光ピックアップ５で得られた再生信号をリードアンプ６で増幅してイコライザ処理や２値化（デジタル化）処理した後、ＣＤデコーダ７に入力してＥＦＭ復調する。即ち、ＥＦＭ信号は、光学的に再生又は記録しやすいように８ビットデータを１４ビットデータに変調したデータであり、ＥＦＭ復調されたデータはデインターリーブ（並べ替え直し処理）とエラー訂正の処理を行う。さらに、そのデインターリーブとエラー訂正の処理後のデータをＣＤ−ＲＯＭデコーダ８に入力してデータの信頼性を高めるためのエラー訂正処理を行う。
【００３９】
その後、ＣＤ−ＲＯＭデコーダ８で処理したデータをバッファマネージャ９によって一旦バッファＲＡＭ１０に蓄積し、セクタデータとして揃ったときにＡＴＡＰＩやＳＣＳＩといったインタフェース１１によってホスト側へ一気に転送する。また、音楽データの場合、ＣＤデコーダ７から出力されるデータをＤ／Ａコンバータ１２に入力してアナログのオーディオ信号を取り出す。
【００４０】
一方、データ記録時には、ＡＴＡＰＩやＳＣＳＩといったインタフェース１１によってホストから転送されたデータを受信すると、そのデータをバッファマネージャ９によって一旦バッファＲＡＭ１０に蓄積する。バッファＲＡＭ１０に或る程度のデータが溜まったときに記録を開始するが、その前にレーザスポットを書き込み開始地点に位置させる。その書き込み開始地点はトラック（プリグルーブ）の蛇行によって予め光ディスク１に刻まれているウォブル信号であるＡＴＩＰ（Absolute Time In Pre-groove）信号によって求められる。ＡＴＩＰ信号は光ディスク上の絶対番地を示す時間情報であり、ＡＴＩＰデコーダ１３によってＡＴＩＰ信号の情報を取り出すとともに、ＡＴＩＰエラーを検出してＡＴＩＰ信号の検出エラー率を計測する。
【００４１】
また、ＡＴＩＰデコーダ１３が生成する同期信号はＣＤエンコーダ１４に入力されて正確な位置でのデータの書き出しを可能にしている。バッファＲＡＭ１０のデータは、ＣＤ−ＲＯＭエンコーダ１５やＣＤエンコーダ１４でエラー訂正コードの付加やインターリーブ（並べ替え）を行った後、ＥＦＭ変調され、レーザコントロール回路１６、光ピックアップ５を介して光ディスク１に記録される。
【００４２】
このような光ディスク装置は、上述の各部の動作を制御するためのＣＰＵ１７、ＲＯＭ１８及びＲＡＭ１９からなるマイクロコンピュータ２０を備えている。
【００４３】
このような構成の光ディスク装置２１は、例えば、図２に示すように、ＰＣ等のホスト機２２に接続されて、記録再生システム２３を構成し、当該記録再生システム２３においてホスト機２２による制御の下に活用される。当該記録再生システム２３におけるホスト機２２は、主制御装置２４、インターフェース２５、記録装置（ＨＤＤ）２６、入力装置２７及び表示装置２８などを備えている。主制御装置２４は、マイクロコンピュータ、メインメモリ（何れも不図示）などを含んで構成され、ホスト全体を制御する。インターフェース２５は、光ディスク装置２１との双方向の通信インターフェースであり、ＡＴＡＰＩ及びＳＣＳＩ等の標準インターフェースに準拠している。インターフェース２５は情報記録装置２１のインターフェース１１と接続されている。なお、各インターフェース１１，２５間の接続形態は、通信ケーブル（例えばＳＣＳＩケーブル）などの通信線を用いたケーブル接続だけでなく、赤外線などを利用したワイヤレス接続であっても良い。
【００４４】
記録装置（ハードディスクドライブＨＤＤ）２６には、主制御装置２４のマイクロコンピュータで解読可能なコードで記述されたプログラムが格納されている。なお、当該情報処理装置の駆動電源がオン状態になると、上記プログラムは主制御装置２４のメインメモリにロードされる。表示装置２８は、例えばＣＲＴ、液晶ディスプレイ（ＬＣＤ）及びプラズマディスプレイパネル（ＰＤＰ）などの表示部（図示省略）を備え、主制御装置２４からの各種情報を表示する。入力装置２７は、例えばキーボード、マウス及びポインティングデバイスなどのうち少なくとも１つの入力媒体（図示省略）を備え、ユーザから入力された各種情報を主制御装置２４に通知する。なお、入力媒体からの情報はワイヤレス方式で入力されても良い。また、表示装置２８と入力装置２７とが一体化したものとして、例えばタッチパネル付きＣＲＴなどがある。
【００４５】
また、ホスト機２２はオペレーティングシステム（以下「ＯＳ」という）を搭載している。そして、ホスト機２２を構成する全てのデバイスはＯＳによって管理されているものとする。
【００４６】
このような記録再生システム２３で使用可能な本実施の形態のオリジナル記録媒体１ｏの構成例について、図３及び図４を参照して説明する。まず、図３を参照して本実施の形態のオリジナル記録媒体１ｏのデータ構造例を説明する。本実施の形態では、例えばオレンジブック規格で規定されるＣＤ−Ｒ／ＲＷのマルチセッション方式で必要なデータが記録されている。即ち、マルチセッション方式は、リードインエリアとリードアウトエリアとに挟まれたプログラムエリアからなる単位を１セッションとし、このようなセッションをディスク半径方向に複数有する方式であり、本実施の形態では、例えば第１セッションに動作制御例を後述する真贋判定アプリケーションプログラム（オリジナル／コピー判定対応処理用アプリケーションプログラム）が記録され、再生用データ領域となる第２セッションに当該オリジナル記録媒体１ｏの目的とする本来の再生用データが記録されている。
【００４７】
なお、第１セッションの第１トラックにアプリケーションプログラム、第２トラックに再生用データが記録されていても良く、また、この第２セッションより外側に、さらにデータの記録されたセッションがあってもよいが、本実施の形態では、第２セッションまで記録され、その外側は未記録状態とされている。ここに、より具体的には、ＣＤ−Ｒ／ＲＷのマルチセッション方式により記録されているが、当該媒体がクローズされていない追記可能なデータ構造として記録されており、第２セッションが既記録最終セッションとされ、当該第２セッション（既記録最終セッション）の次の第３セッションが、前述の真贋判定アプリケーションプログラムの実行時にオリジナル判定のために使用される特定領域とされている。より更に具体的には、第１，２セッションのリードインエリアのサブコードＱフレームはマルチセッションを示すPOINT＝B0として記録されている。また、第２セッションのリードインエリアに記録される「Start time of next possible program in the Recordable Area（次にデータ記録可能な開始時間）」に第３セッションのプログラムエリアのStart timeが記録され、この値は「Maximum start time of outer most Lead-out Area（最も外側にLead Outを記録する場合の記録開始時間）」より小さい値に設定されている。
【００４８】
このようなデータ構造のオリジナル記録媒体１ｏの物理的構造例について図４を参照して説明する。本実施の形態のオリジナル記録媒体１ｏは、基本的には、書込みが一切できない再生専用のＲＯＭ構造として作製されている。図４（ａ）に示すように、まず、真贋判定アプリケーションプログラム、再生用データが各々第１，第２セッションに各々マスタリングによるプリピット３１で形成されている。また、第３セッション以降の未記録状態の領域（当該媒体１ｏの最も外側にリードアウトを記録する場合の記録停止位置までの領域）も、第２セッションまでと同様にマスタリングによるプリピット３２が形成されるが、この場合は、情報によって変調されている必要はなく、一定のピット長さで良い。これらの全てのプリピット３１，３２は、ＡＴＩＰ情報を含ませるために変調されたウォブリングを持っている。これらのウォブリングされたプリピット３１，３２が形成された透明樹脂基板３３上にはアルミニウム等による反射膜３４が直接設けられ、反射膜３４上には保護膜３５が設けられている。このような物理的構造は、通常のＣＤと同様である。
【００４９】
オリジナル記録媒体１ｏの物理的構造例の別の実施の形態としては、例えば、図４（ｂ）に示すようにしてもよい。この図４（ｂ）では、真贋判定アプリケーションプログラム、再生用データに関しては図４（ａ）の場合と同様に各々第１，第２セッションに各々マスタリングによるプリピット３１で形成する一方、第３セッション以降の未記録状態の領域（当該媒体１ｏの最も外側にリードアウトを記録する場合の記録停止位置までの領域）に関しては、トラックサーボ用案内溝であるグルーブ３６が形成されている。これらの全てのプリピット３１やグルーブ３６は、ＡＴＩＰ情報を含ませるために変調されたウォブリングを持っている。これらのウォブリングされたプリピット３１やグルーブ３６が形成された透明樹脂基板３３上にはアルミニウム等による反射膜３４が直接設けられ、反射膜３４上には保護膜３５が設けられている。このような物理的構造は、通常のＣＤに準ずるものであるが、グルーブ３６が形成された未記録状態の領域は記録膜がない点を除くと例えばＣＤ−Ｒ等に準ずる構造となっている。
【００５０】
このようなオリジナル記録媒体１ｏがＣＤ−ＲやＣＤ−ＲＷを利用して不正にコピーされた場合、そのコピー媒体１ｃにおいても、真贋判定アプリケーションプログラム、再生用データに関してはクローズされていないデータ構造でコピーされることとなる。
【００５１】
このような構成において、オリジナル記録媒体１ｏ又はコピー媒体１ｃが光ディスク装置２１にマウントされると、図５に示すように、その第１セッションに記録されている真贋判定アプリケーションプログラムが起動し（ステップＳ１）、ホスト機２２の主制御装置２４に真贋判定アプリケーションプログラムによる光ディスクの真贋判定処理（オリジナルかコピーかの判定処理）を実行させ（Ｓ２）、その真贋判定結果に応じた処理を実行する（Ｓ３）。
【００５２】
ここで、真贋判定アプリケーションプログラムによる光ディスクの真贋判定処理例を図６に示す概略フローチャートを参照して説明する。
【００５３】
まず、Read ＴＯＣコマンドに従い光ディスク装置２１にマウントされた当該媒体１ｏ又は１ｃのＴＯＣ情報を読込む（Ｓ１１）。この時、光ディスク装置２１のファームウェアは後述のＳＴＮＰＰのアドレス（未記録領域）にアクセスするので、ＡＴＩＰ信号によるアドレスの読込み、スピンドルモータ２の回転制御が必要なため、オリジナル媒体１ｏのプリピット３２は前述したようにＡＴＩＰ情報によって変調されたウォブリングが必要である。ウォブリングがなくＳＴＮＰＰにアクセスできない場合はオリジナル媒体１ｏのマウント動作が終了せず、必要なデータの再生が不可能となる。
【００５４】
ＴＯＣ情報を読込んだ後、Reqest Senceコマンドで光ディスク装置２１よりエラー情報を入手し（Ｓ１２）、当該Readコマンド実行時に再生エラーが発生した場合は（Ｓ１３のY）、通常のエラーと判断するか、又は品質の保証されたオリジナル記録媒体ではないと判断し、再生不可のメセージを出し（Ｓ２３）、確認ボタン認識後（Ｓ２４）、メインルーチンに戻る。
【００５５】
一方、ステップＳ１２でReqest Senceコマンドで光ディスク装置２１よりエラー情報を入手した結果、再生エラーが発生してない場合は（Ｓ１３のＮ）、ステップＳ１１のRead ＴＯＣコマンドで得た「ＳＴＮＰＰ：Start time of next possible program in the Recordable Area（次にデータ記録可能な開始時間）」をデシマル数値化しＮとする（Ｓ１４）。また、「ＳＴＯＬＯ：Maximum start time of outer most Lead-out Area（最も外側にLead Outを記録する場合の記録開始時間）」をデシマル数値化しMとする（Ｓ１５）。
【００５６】
そして、これらのデシマル数値化されたＮとＭとの大小を比較し（Ｓ１６）、ＭがＮ以下の場合（Ｓ１６のＮ）、即ち、新たなデータ書込みが不可能なデータ構造の場合はエラーと判断し、再生不可のメセージを出し（Ｓ２３）、確認ボタン認識後（Ｓ２４）、メインルーチンに戻る。一方、ＮがＭより小さい場合（Ｓ１６のＹ）、即ち、新たなデータ書込みが可能なデータ構造の場合はＳＴＮＰＰを記録開始アドレスとして、最小1セクタの記録を行う（Ｓ１７）。本実施の形態の場合、クローズされていないマルチセッション方式の記録とされているので、この時の記録対象となる領域は、既記録最終セッションの次のセッション＝第３セッションであり、当該第３セッションがオリジナル判定のための特定領域となる。このような特定領域は、コピー媒体１ｃであっても書込み前は常に未記録状態にある。この時、光ディスク装置２１の書込み動作には、書込み位置アドレスの読込み、スピンドルモータ２の回転制御が必要なため、ここでも、プリピット３２はＡＴＩＰ情報によって変調されたウォブリングが必要である。
【００５７】
このような書込み動作に関連して、Reqest Senceコマンドで光ディスク装置２１よりエラー情報を入手し（Ｓ１８）、書込み動作時のエラー情報の有無を判定する（Ｓ１９）。この判定処理で記録時エラーとなった場合は（Ｓ１９のＹ）、マウントされた光ディスク１はオリジナル記録媒体１ｏであると判定し、メインルーチンに戻る。この処理において、オリジナル記録媒体１ｏの場合に記録時エラーとなるのは、オリジナル記録媒体１ｏが通常のＣＤと同じ再生専用のＲＯＭ構造となっているので、正常な記録が不可のためである。従って、書込み動作に際して、ホスト機２２からWriteコマンドにより、光ディスク装置２１のＲＯＭ１８に格納されている制御プログラムにより最適記録パワー値を設定するためのＯＰＣ（Optimum Power Control）の動作が行なわれ、このＯＰＣ動作ではレーザーパワー値を変化させ、記録後の信号を用いるので、図３に示したような物理的に記録不可能な構造のオリジナル記録媒体１ｏでは正常なＯＰＣ動作が行なわれない。この結果により、ＯＰＣエラーとして光ディスク装置２１の制御プログラムがホスト機２２に通信するようになっていれば、ステップＳ１９でエラーと判定される。もっとも、光ディスク装置２１によっては制御プログラムがエラー情報をホスト機２２に出さず、予め用意されている記録レーザーパワーを設定する場合もあるため、ステップＳ１９でエラーと判定されない場合もある。
【００５８】
ステップＳ１９でエラーと判定されなかった場合は、ステップＳ１７で記録した領域（スタートアドレス：ＳＴＮＰＰ）＝特定領域を再生する（Ｓ２０）。ステップＳ２１でReqest Senceコマンドで光ディスク装置２１よりエラー情報を入手し、再生時にエラーが発生したと判定された場合は（Ｓ２２）、オリジナル記録媒体１ｏであると判定され、メインルーチンに戻る。この理由は、オリジナル記録媒体１ｏは書込み不可の構成になっているからである。
【００５９】
一方、ステップＳ２２の判定でエラーがなかった場合は、特定領域に対して正常に書込みを行えたことから、当該媒体をコピー媒体１ｃと判定し、再生不可のメセージを出し（Ｓ２３）、確認ボタン認識後（Ｓ２４）、メインルーチンに戻る。
【００６０】
ステップＳ３の処理においては、ステップＳ１９のＹ又はステップＳ２２のＹにより、マウントされている媒体１がオリジナル記録媒体１ｏであると判定した場合には、その再生用データ領域の再生を可能とする一方（再生許可工程）、ステップＳ２２のＮによりマウントされている媒体１がコピー媒体であると判定した場合、及びステップＳ１３のY、ステップＳ１６のNの場合には再生用データ領域の再生を不可として再生動作を禁止させる（再生禁止工程）。
【００６１】
このように、本実施の形態によれば、ＲＯＭ構造とされて書込み不可のオリジナル記録媒体１ｏの場合には、記録されている真贋判定アプリケーションプログラムの実行による書込み動作の結果、必然的に書込み不可となるので、この書込み不可なる結果によりオリジナル記録媒体１ｏであると判定することができ、その再生動作を可能にすることができる一方、Ｒ又はＲＷ構造で書込み可能な不正なコピー媒体１ｃの場合には、コピーにより記録されている真贋判定アプリケーションプログラムの実行による書込み動作の結果、必然的に書込み可能となるので、この書込み可能なる結果により不正なコピー媒体１ｃであると判定することができ、その再生動作を不可として、再生動作を禁止させることができる。よって、不正なコピー媒体１ｃが作製されたとしても、実質的に使用できず価値のないものとすることができる。
【００６２】
ここで、本発明の真贋判定アプリケーションプログラムによる光ディスクの真贋判定処理例を図７に示す概略フローチャートを参照して説明する。
【００６３】
まず、Read ＴＯＣコマンドを発行しＣ１ポインタを取得する（Ｓ３１）。Ｃ１ポインタとはＣＤＲＷ特有のＴＯＣ情報で、取得できれば書換え（消去）可能と判断し（Ｓ３２のＹ）、Blankコマンドを発行して（Ｓ３３）、コマンドエラーが発生しなければ（Ｓ３４のＮ）メインルーチンに戻る。
【００６４】
Ｃ１ポインタが取得できない場合（Ｓ３２のＮ）や、Blankコマンドがエラーとなる場合（Ｓ３４のＹ）は書換え（消去）不可と判断しプログラムを終了する（Ｓ３４）。
【００６５】
メインルーチンでは、ディスク上のプログラムの起動あるいはデータの再生が行われる。ここで、ＲＯＭ構造で記録層を有さないオリジナル媒体においてはディスクが消去されていないので動作可能であるが、コピー媒体においてはディスクが消去されていてプログラムファイルやデータファイルの読み込みができず動作が中断してしまう。
【００６６】
ここで、書換え（消去）可能であることを示すディスク情報としては、Ｃ１ポインタの他に、Read ＡＴＩＰコマンドで取得できるDisc Typeでもよい。
【００６７】
また、ＢｌａｎｋコマンドとしてMinimally Blank（クィック消去）を用いると処理時間の短縮ができる。
【００６８】
光ディスクの第１セッションにダミーファイルが、第２セッションにアプリケーションプログラムや再生データが記録されている場合は、BlankコマンドとしてErase Sessionを用いて最終セッションだけを消去することで、更に処理時間の短縮ができ、同様の効果が有られる。
【図面の簡単な説明】
【００６９】
【図１】本発明の実施の形態に用いられる光ディスク装置の構成例を示すブロック図である。
【図２】記録再生システムのシステム構成例を示す概略ブロック図である。
【図３】オリジナル記録媒体のデータ構造例を示す説明図である。
【図４】オリジナル記録媒体の物理的な構造例を示す模式的な斜視図である。
【図５】基本動作例を示す概略フローチャートである。
【図６】真贋判定処理例を示す概略フローチャートである。
【図７】別の真贋判定処理例を示す概略フローチャートである。
【符号の説明】
【００７０】
１ｏ      オリジナル記録媒体
１ｃ      コピー媒体
２１      記録再生装置
２２      ホスト機
３１，３２      プリピット
３３      透明樹脂基板
３４      反射膜
３６      グルーブ
【図１】
2005116138.tif 000003
【図２】
2005116138.tif 000004
【図３】
2005116138.tif 000005
【図４】
2005116138.tif 000006
【図５】
2005116138.tif 000007
【図６】
2005116138.tif 000008
【図７】
2005116138.tif 000009